(57)【要約】【課題】床衝撃音の遮断性能が良好で施工性を向上させる床構造を得る。【解決手段】床スラブ１２と上床材１４との間には、複数本並べられた標準床支持具１５Ａと高吸振床支持具１５Ｂとが介在される。床スラブ１２で振動の発生しやすいスラブ特定領域の上方、又は、上床材１４のフローリング１４Ｃで振動の発生しやすい床特定領域の下方には、動吸振器２５を備えた高吸振床支持具１５Ｂが配置されるので、振動が効果的に減衰されて床衝撃音の遮断性能が良好となる。また、施工時には、従来のように、制振材又は遮音材を床全面に配置する必要がないので、施工性が良い。【選択図】図１
2007132081.tif 000002
【特許請求の範囲】
【請求項１】
床スラブの上方に設けられる床仕上材と、
前記床スラブと前記床仕上材との間に設けられ、前記床スラブにおける振動の発生しやすいスラブ特定領域の上方、又は、前記床仕上材における振動の発生しやすい床特定領域の下方、における範囲内にのみ設けられ、振動を減衰させて衝撃音を低減する振動減衰手段と、
を有することを特徴とする床構造。
【請求項２】
床スラブ上に設けられる支持手段と、
前記支持手段に支持され、前記床スラブとの間に間隔をもって配置される床仕上材と、
前記支持手段に支持され、前記床スラブにおける振動の発生しやすいスラブ特定領域の上方、又は、前記床仕上材における振動の発生しやすい床特定領域の下方、における範囲内にのみ設けられ、振動を減衰させて衝撃音を低減する振動減衰手段と、
を有することを特徴とする床構造。
【請求項３】
前記振動減衰手段が、前記支持手段又は前記床仕上材に支持されて弾性変形可能であって振動を減衰させる弾性部材と、前記弾性部材に支持されて前記弾性部材の弾性変形によって変位して振動を減衰させる質量体と、を備えた動吸振器であることを特徴とする請求項２記載の床構造。
【請求項４】
前記床スラブの中央領域を前記スラブ特定領域とすることを特徴とする請求項１から３のいずれか一項に記載の床構造。
【請求項５】
前記床仕上材の上方が区画された状態では、区画された区画部の範囲内下方における前記床仕上材の中央領域を前記床特定領域とすることを特徴とする請求項１から４のいずれか一項に記載の床構造。
【請求項６】
前記床仕上材の上方に収容部を備えた状態では、前記収容部の下方となる前記床仕上材の載置領域を前記床特定領域とすることを特徴とする請求項１から５のいずれか一項に記載の床構造。
【請求項７】
前記床仕上材の上方に歩行用通路を備えた状態では、前記歩行用通路の下方となる前記床仕上材の通路領域を前記床特定領域とすることを特徴とする請求項１から６のいずれか一項に記載の床構造。
【請求項８】
前記床仕上材の上方が区画されて複数の区画部が形成された状態では、前記床特定領域が、複数の前記区画部のうちの特定の区画部とされる第１区画部の範囲内下方における前記床仕上材の全領域と、複数の前記区画部のうちの前記第１区画部以外の第２区画部の範囲内下方における前記床仕上材の一部領域と、の両方を含むことを特徴とする請求項１から３のいずれか一項に記載の床構造。
【請求項９】
前記床スラブにおける振動の腹となる位置を含む領域を前記スラブ特定領域とすることを特徴とする請求項１から８のいずれか一項に記載の床構造。
【請求項１０】
前記床仕上材の上方に振動機器設置部を備えた状態では、前記振動機器設置部の下方となる機器設置領域を前記床特定領域とすることを特徴とする請求項１から９のいずれか一項に記載の床構造。
【発明の詳細な説明】
【技術分野】
【０００１】
本発明は、振動を減衰させる床構造に関する。
【背景技術】
【０００２】
床衝撃音の遮断性能を向上させるための床構造がある。このような床構造では、例えば、二重床構造が適用され、支持部材が床下地パネル、捨張材、仕上材を支持し、捨張材の両面に制振材又は遮音材を配置した状態としている（例えば、特許文献１参照）。
【０００３】
従来の制振材には、重い材料が用いられているうえに、この従来の床構造では、制振材又は遮音材を床全面に配置することになり、施工性が悪い。
【特許文献１】特許第２９１８９０７号公報
【発明の開示】
【発明が解決しようとする課題】
【０００４】
本発明は、上記事実を考慮して、床衝撃音の遮断性能が良好で施工性を向上させる床構造を提供することを課題とする。
【課題を解決するための手段】
【０００５】
請求項１に記載する本発明の床構造は、床スラブの上方に設けられる床仕上材と、前記床スラブと前記床仕上材との間に設けられ、前記床スラブにおける振動の発生しやすいスラブ特定領域の上方、又は、前記床仕上材における振動の発生しやすい床特定領域の下方、における範囲内にのみ設けられ、振動を減衰させて衝撃音を低減する振動減衰手段と、を有することを特徴とする。
【０００６】
ここで、「スラブ特定領域」とは、床スラブのインピーダンスが低い部分又は床スラブの振動の腹をいい（以下の記載（請求項２等の他の請求項の記載を含む）において同じ）、また、「床特定領域」とは、床仕上げ材において、振動が発生しやすいと想定される部分をいう（以下の記載（請求項２等の他の請求項の記載を含む）において同じ）。
【０００７】
請求項１に記載する本発明の床構造によれば、床仕上材からの振動が振動減衰手段によって減衰されて床スラブへ伝えられる。ここで、振動減衰手段が、床スラブにおける振動の発生しやすいスラブ特定領域の上方、又は、床仕上材における振動の発生しやすい床特定領域の下方、における範囲内にのみ設けられることで、振動を有効に減衰して衝撃音を低減するので、床衝撃音の遮断性能を良好とすることが可能となる。また、施工時には、従来のように、制振材又は遮音材を床全面に配置する必要がないので、施工性が良い。
【０００８】
請求項２に記載する本発明の床構造は、床スラブ上に設けられる支持手段と、前記支持手段に支持され、前記床スラブとの間に間隔をもって配置される床仕上材と、前記支持手段に支持され、前記床スラブにおける振動の発生しやすいスラブ特定領域の上方、又は、前記床仕上材における振動の発生しやすい床特定領域の下方、における範囲内にのみ設けられ、振動を減衰させて衝撃音を低減する振動減衰手段と、を有することを特徴とする。
【０００９】
請求項２に記載する本発明の床構造によれば、床仕上材からの振動が振動減衰手段によって減衰され、支持手段を介して床スラブへ伝えられる。ここで、振動減衰手段が、床スラブにおける振動の発生しやすいスラブ特定領域の上方、又は、前記床仕上材における振動の発生しやすい床特定領域の下方、における範囲内にのみ設けられることで、振動を有効に減衰して衝撃音を低減するので、床衝撃音の遮断性能を良好とすることが可能となる。また、施工時には、従来のように、制振材又は遮音材を床全面に配置する必要がないので、施工性が良い。
【００１０】
請求項３に記載する本発明の床構造は、請求項２記載の構成において、前記振動減衰手段が、前記支持手段又は前記床仕上材に支持されて弾性変形可能であって振動を減衰させる弾性部材と、前記弾性部材に支持されて前記弾性部材の弾性変形によって変位して振動を減衰させる質量体と、を備えた動吸振器であることを特徴とする。
【００１１】
請求項３に記載する本発明の床構造によれば、床仕上材に振動が加わった場合、この振動は、弾性部材へ伝わる。これによって、弾性部材が弾性変形して質量体が振動を吸収するように上下動することで、床仕上材から床スラブへの振動を減衰する。これにより、重量床衝撃音を効果的に遮断することができる。
【００１２】
請求項４に記載する本発明の床構造は、請求項１から３のいずれか一項に記載の構成において、前記床スラブの中央領域を前記スラブ特定領域とすることを特徴とする。
【００１３】
請求項４に記載する本発明の床構造によれば、床スラブの中央領域における振動を振動減衰手段が減衰するので、重量床衝撃音が効果的に遮断される。
【００１４】
請求項５に記載する本発明の床構造は、請求項１から４のいずれか一項に記載の構成において、前記床仕上材の上方が区画された状態では、区画された区画部の範囲内下方における前記床仕上材の中央領域を前記床特定領域とすることを特徴とする。
【００１５】
請求項５に記載する本発明の床構造によれば、区画部の範囲内下方における床仕上材の中央領域で発生した振動は、振動減衰手段によって減衰されて床スラブへ伝えられる。
【００１６】
請求項６に記載する本発明の床構造は、請求項１から５のいずれか一項に記載の構成において、前記床仕上材の上方に収容部を備えた状態では、前記収容部の下方となる前記床仕上材の載置領域を前記床特定領域とすることを特徴とする。
【００１７】
請求項６に記載する本発明の床構造によれば、収容部の下方となる床仕上材の載置領域で発生した振動は、振動減衰手段によって減衰されて床スラブへ伝えられる。
【００１８】
請求項７に記載する本発明の床構造は、請求項１から６のいずれか一項に記載の構成において、前記床仕上材の上方に歩行用通路を備えた状態では、前記歩行用通路の下方となる前記床仕上材の通路領域を前記床特定領域とすることを特徴とする。
【００１９】
請求項７に記載する本発明の床構造によれば、歩行用通路の下方となる床仕上材の通路領域で発生した振動は、振動減衰手段によって減衰されて床スラブへ伝えられる。
【００２０】
請求項８に記載する本発明の床構造は、請求項１から３のいずれか一項に記載の構成において、前記床仕上材の上方が区画されて複数の区画部が形成された状態では、前記床特定領域が、複数の前記区画部のうちの特定の区画部とされる第１区画部の範囲内下方における前記床仕上材の全領域と、複数の前記区画部のうちの前記第１区画部以外の第２区画部の範囲内下方における前記床仕上材の一部領域と、の両方を含むことを特徴とする。
【００２１】
請求項８に記載する本発明の床構造によれば、第１区画部の範囲内下方における床仕上材の全領域で発生した振動、及び、第２区画部の範囲内下方における床仕上材の一部領域で発生した振動のいずれも、振動減衰手段によって減衰されて床スラブへ伝えられる。
【００２２】
請求項９に記載する本発明の床構造は、請求項１から８のいずれか一項に記載の構成において、前記床スラブにおける振動の腹となる位置を含む領域を前記スラブ特定領域とすることを特徴とする。
【００２３】
請求項９に記載する本発明の床構造によれば、床スラブにおける振動の腹となる位置における振動を振動減衰手段が減衰するので、重量床衝撃音が効果的に遮断される。
【００２４】
請求項１０に記載する本発明の床構造は、請求項１から９のいずれか一項に記載の構成において、前記床仕上材の上方に振動機器設置部を備えた状態では、前記振動機器設置部の下方となる機器設置領域を前記床特定領域とすることを特徴とする。
【００２５】
請求項１０に記載する本発明の床構造によれば、振動機器設置部の下方となる床仕上材で発生した振動は、振動減衰手段によって減衰されて床スラブへ伝えられる。
【発明の効果】
【００２６】
以上説明したように、本発明の床構造によれば、床衝撃音の遮断性能が良好で施工性を向上させることができるという優れた効果を有する。
【発明を実施するための最良の形態】
【００２７】
本発明における床構造の第１の実施形態を図面に基づき説明する。なお、図中の矢印ＵＰは床構造における上方向を示す。
（第１の実施形態の構成）
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００２８】
床構造１０は、躯体床となるコンクリート製の床スラブ１２と上床材１４との間に、所定の間隔で複数本並べられた標準床支持具１５Ａ、高吸振床支持具１５Ｂを介在させており、標準床支持具１５Ａ、高吸振床支持具１５Ｂの介在によって床スラブ１２と上床材１４との間に空間を形成して遮音効果を得る状態としている。
【００２９】
本実施形態の上床材１４は、床スラブ１２の上方に設けられ、床下地パネル１４Ａを備えると共に、床下地パネル１４Ａ上に捨張合板１４Ｂを設け、さらに捨張合板１４Ｂ上に床仕上材としてのフローリング１４Ｃを設けた積層構造となっている。ここで、フローリング１４Ｃを除いた上床材１４（床下地パネル１４Ａ及び捨張合板１４Ｂ）、標準床支持具１５Ａ、及び、高吸振床支持具１５Ｂは、床下地材である。
【００３０】
図１の左側に示される標準床支持具１５Ａは、比較的振動の発生が少ない範囲内に配置され、図１の右側に示される振動減衰手段としての動吸振器２５を備えた高吸振床支持具１５Ｂは、振動の発生しやすい範囲内にのみ配置される（詳細後述）。標準床支持具１５Ａは、高吸振床支持具１５Ｂから動吸振器２５を除いた構成、すなわち、高吸振床支持具１５Ｂにおける支持手段としての支持部１６と同様の構成である。以下、高吸振床支持具１５Ｂについて説明し、標準床支持具１５Ａにおける同様の構成部については、同一符号を付して説明を省略する。
【００３１】
図２に示されるように、各高吸振床支持具１５Ｂは、支持部１６を備えている。支持部１６は、弾性基部材としての防振ゴム１８と、中間受け部としての中間受け部材２０と、支持部材としての支持ボルト２２と、を備えており、床スラブ１２上に設けられてフローリング１４Ｃを備えた上床材１４を支持するようになっている。
【００３２】
床スラブ１２上に配置される防振ゴム１８は、クッションゴムであって弾性変形可能な円筒状とされ、上床材１４等からの振動の減衰用として床スラブ１２上に支持されている。防振ゴム１８上には、中間受け部材２０を介して支持ボルト２２が直立状態で支持されている。
【００３３】
中間受け部材２０は、円筒状とされて中間部にフランジ部２０Ａを備え、円筒部の一方側が防振ゴム１８の筒内側に挿入されると共にフランジ部２０Ａの下面（防振ゴム１８側へ向けられた面）が防振ゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００３４】
支持ボルト２２は、防振ゴム１８と反対側、すなわち、床スラブ１２と反対方向へ延びて、パネル受け部材２４を介して上床材１４を支持するようになっている。パネル受け部材２４は、円筒状とされて一方開口部から外側へ向けて突き出した鍔部２４Ａを備える。パネル受け部材２４の円筒部２４Ｂは、床下地パネル１４Ａの貫通孔１１４Ａ内に挿入されて固着され、鍔部２４Ａの上面（上床材１４側へ向けられた面）が床下地パネル１４Ａの下面（床スラブ１２と対向する側の面）に固着される。パネル受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、フローリング１４Ｃを備えた上床材１４は、支持部１６上に支持されて床スラブ１２との間に間隔をもって配置される。
【００３５】
支持ボルト２２の先端部には、マイナスドライバを差し込むための凹部（図示省略）が形成されており、上床材１４の床下地パネル１４Ａに捨張合板１４Ｂ、フローリング１４Ｃが載せられる前の状態において、マイナスドライバを支持ボルト２２の凹部（図示省略）に差し込んで支持ボルト２２を回転させることによって、床スラブ１２からの床下地パネル１４Ａの高さを調節することができるようになっている。
【００３６】
各高吸振床支持具１５Ｂの高さ方向中間部には、支持部１６に支持された振動減衰手段としての動吸振器２５が設けられ、床構造１０全体としては、図１に示されるように、床スラブ１２とフローリング１４Ｃとの間となる高さ位置に、複数の動吸振器２５が配置される。図２に示されるように、動吸振器２５は、弾性部材としてのクッション台座２６と、質量体２８と、を備え、振動を減衰させて衝撃音を低減するための床衝撃音遮断部材として適用される。
【００３７】
クッション台座２６は、中間受け部材２０のフランジ部２０Ａの上面である受け面２０Ｃに配置されており、クッション台座２６の下面が受け面２０Ｃに接着剤等によって固着されている。クッション台座２６は、円筒状とされて中央に挿入孔２６Ａが形成されており、この挿入孔２６Ａに支持ボルト２２が挿入された状態となっている。クッション台座２６は、上床材１４等からの振動を減衰させるために、中間受け部材２０を介して支持ボルト２２に支持されるものであり、軟質ゴムで構成されたバネ体であって弾性変形可能とされる。
【００３８】
質量体２８は、クッション台座２６の上面に接着剤等によって固着されており、中間受け部材２０、クッション台座２６及び質量体２８は、一体化している。また、質量体２８によって、クッション台座２６には圧縮方向の荷重が作用している。質量体２８は、略円筒状とされて中央に挿入孔２８Ａが貫通形成されており、この挿入孔２８Ａに支持ボルト２２が挿入された状態となっている。質量体２８は、クッション台座２６に支持されることでクッション台座２６の弾性変形によって変位して上床材１４等からの振動を減衰させるようになっている。
【００３９】
ここで、本実施形態における動吸振器２５の配置位置について、図３を参照しながら説明する。なお、図３においては、紙面手前側が床構造１０（図１参照）における上方であり、紙面奥側が床構造１０（図１参照）における下方である。
【００４０】
図３の水平断面図には、四隅に柱３０が図示されており、柱３０と柱３０との間が梁３２で渡されると共に、梁３２によって床スラブ１２が囲まれた状態が示されている。図中の二点鎖線で囲まれた配置範囲４１は、動吸振器２５を備えた高吸振床支持具１５Ｂを配置する範囲であり、この配置範囲４１内に動吸振器２５が配置される。また、配置範囲４１の範囲外には、標準床支持具１５Ａが配置される。
【００４１】
配置範囲４１は、床スラブ１２におけるスラブ特定領域としての中央領域１２Ｃの上方とされており、中央領域１２Ｃは、床スラブ１２において振動の発生しやすい領域となっている（図３では、床スラブ１２の中央領域１２Ｃは、二点鎖線で囲まれた配置範囲４１と同じ範囲で示される。）。なお、「スラブ特定領域」とは、床スラブ１２のインピーダンスが低い部分又は床スラブ１２の振動の腹をいう。
【００４２】
ここで、振動状態とされた床スラブ１２は、その部位によって、振幅（振動の幅の半分）の大きさが異なり（図６（Ａ）の模式図参照）、床スラブ１２は、梁３２で囲まれた中央点１２Ｍの振幅が最も大きく（撓み量が最も大きく）、梁３２に近づくほど小さく（撓み量が小さく）なるので、本実施形態では、これに対応させるために、床スラブ１２は、梁３２で囲まれた（中央点１２Ｍを含む）中央部（中央領域１２Ｃ）上に動吸振器２５を備えた高吸振床支持具１５Ｂを配置する構成としている。
（第１の実施形態の施工手順）
次に、図１に示される標準床支持具１５Ａ、高吸振床支持具１５Ｂを用いて二重床の床構造１０を構成する際の施工手順について説明する。なお、標準床支持具１５Ａは、高吸振床支持具１５Ｂから動吸振器２５を除いた構成であり、基本的な施工手順は同様であるので、ここでは、高吸振床支持具１５Ｂの施工手順を中心に説明し、標準床支持具１５Ａの施工手順の説明は、一部省略する。
【００４３】
まず、高吸振床支持具１５Ｂについては、一体化された防振ゴム１８、中間受け部材２０、クッション台座２６及び質量体２８を、防振ゴム１８を下にして床スラブ１２における中央領域１２Ｃ（図３参照）上に設置する。一方、標準床支持具１５Ａについては、一体化された防振ゴム１８、中間受け部材２０を、防振ゴム１８を下にして床スラブ１２における中央領域１２Ｃの範囲外の上方に設置する。
【００４４】
次に、高吸振床支持具１５Ｂについては、図２に示される質量体２８の挿入孔２８Ａ及びクッション台座２６の挿入孔２６Ａに支持ボルト２２を上方から挿入し、支持ボルト２２の雄ネジ部２２Ａを中間受け部材２０の雌ネジ部２０Ｂに螺合させて取り付け、直立させる（標準床支持具１５Ａについても、同様に支持ボルト２２を直立させる。）。次に、床下地パネル１４Ａに固着されたパネル受け部材２４の雌ネジ部２４Ｃに支持ボルト２２の雄ネジ部２２Ｂを螺合させる。ここで、マイナスドライバを支持ボルト２２の凹部（図示省略）に差し込んで支持ボルト２２を回転させることによって、床スラブ１２からの床下地パネル１４Ａの高さを調節する。
【００４５】
次に、床下地パネル１４Ａ上に捨張合板１４Ｂが敷設され、捨張合板１４Ｂ上にフローリング１４Ｃが敷設される。以上によって、二重床の床構造１０が構成される。
【００４６】
このように、施工時には、従来のように、制振材又は遮音材を床全面に配置する必要がないので、施工性が良く、また、軽量で安価な床構造１０とすることができる。
【００４７】
また、図１に示されるように、比較的振動の発生が少ない部分には、標準床支持具１５Ａが配置されることで、床構造全体における質量体２８の合計質量を抑えることができ、施工性が良い。すなわち、床衝撃音の低減に効果が少ない部分に、動吸振器２５を配置しないことで、床構造１０全体として、質量の大きい動吸振器２５（高吸振床支持具１５Ｂ）の配置量を減らせるので、施工性を向上できると共に、コストを低減することが可能となる。また、改修時等における高吸振床支持具１５Ｂの回収作業も容易になる。
（第１の実施形態の作用）
次に、上記の実施形態の作用を説明する。
【００４８】
上階において、フローリング１４Ｃ（図１参照）が敷かれた範囲の中央領域で発せられた床衝撃音（例えば、歩行音等）の振動は、図２に示される上床材１４からパネル受け部材２４、支持ボルト２２、及び、中間受け部材２０を介してクッション台座２６へ伝わる。これによって、クッション台座２６が弾性変形し、質量体２８が振動を吸収するように上下動することで、振動を減衰する。
【００４９】
クッション台座２６は、支持ボルト２２を囲んで配置されているため、支持ボルト２２に沿って弾性変形することになり、また、質量体２８も支持ボルト２２を囲んで配置されているため、支持ボルト２２に沿って移動することになるので、動吸振の作用が安定する。
【００５０】
また、中間受け部材２０にクッション台座２６が固着され、クッション台座２６に質量体２８が固着されているので、例えば、振動によって質量体２８がクッション台座２６から浮く等のような無駄な移動を抑えられ、また、質量体２８の移動を振動周期に追従させ易くなるので、動吸振効果を高めることができる。
【００５１】
動吸振器２５によって減衰された振動は、さらに防振ゴム１８によって減衰されて床スラブ１２へ伝わる。このため、床衝撃音が良好に遮断される。  
【００５２】
ここで、重量衝撃の場合、床スラブ１２の曲げ振動により下室への床衝撃音が発生しやすいが、動吸振器２５が適所に配置されることで、特に、重量床衝撃音を効果的に遮断（低減）することができる。なお、動吸振器２５を用いると、従来の制振材の約半分の質量でほぼ同等の重量床衝撃音の遮断効果が得られる。
（第２の実施形態）
次に、第２の実施形態における床構造について、図４を参照しながら説明する（図４においては、紙面手前側が床構造１０（図１参照）における上方であり、紙面奥側が床構造１０（図１参照）における下方である。）。第２の実施形態は、フローリング１４Ｃの上方が複数の区画部（部屋３６等）に区画された状態である場合であり、区画された区画部（部屋３６）の範囲内下方におけるフローリング１４Ｃの振動が発生しやすいと想定される部分である中央領域３６Ｃに対応して（その下方に）、図２に示される動吸振器２５を備えた高吸振床支持具１５Ｂを設けた点が特徴である。他の構成については、第１の実施形態とほぼ同様の構成であるので、同一符号を付して説明を省略する。
【００５３】
図４の平面図は、フローリング１４Ｃの上方が（住戸内の）壁３４によって複数の区画部（部屋３６等）に区画された状態を示している。図中の二点鎖線で囲まれた配置範囲４２は、動吸振器２５を備えた高吸振床支持具１５Ｂ（図２参照）が配置される範囲であり、この配置範囲４２内に動吸振器２５が配置される。また、配置範囲４２の範囲外には、標準床支持具１５Ａ（図１参照）が配置される。
【００５４】
区画された部屋３６の範囲内下方におけるフローリング１４Ｃの中央領域３６Ｃは、フローリング１４Ｃにおける振動の発生しやすい床特定領域とされ、配置範囲４２は、床特定領域としての中央領域３６Ｃの下方とされている（図４では、フローリング１４Ｃの中央領域３６Ｃは、二点鎖線で囲まれた配置範囲４２と同じ範囲で示される。）。なお、「床特定領域」とは、フローリング１４Ｃ（床仕上げ材）において、振動が発生しやすいと想定される部分をいう。
【００５５】
これにより、フローリング１４Ｃの中央領域３６Ｃで発生した振動は、図２に示される動吸振器２５を備えた高吸振床支持具１５Ｂによって効果的に減衰されて床スラブ１２へ伝えられる。
【００５６】
このように、衝撃頻度が高いフローリング１４Ｃの中央領域３６Ｃ（図４参照）に対応して動吸振器２５を備えた高吸振床支持具１５Ｂを配置することで、効果的に床衝撃音を遮断（低減）することができる。
【００５７】
なお、中央領域３６Ｃの周囲領域の下方に、標準床支持具１５Ａを配置することで、中央領域３６Ｃの周囲領域上に家具等を置いても、フローリング１４Ｃを含む上床材１４が沈みにくくなるという利点がある。
【００５８】
また、上記実施形態では、区画部が部屋３６である場合の構成を説明したが、区画部は、例えば、フリースペース等のような他の区画部であっても同様の構成を適用することができる。
（第３の実施形態）
次に、第３の実施形態における床構造について、図５を参照しながら説明する（図５においては、紙面手前側が床構造１０（図１参照）における上方であり、紙面奥側が床構造１０（図１参照）における下方である。）。第３の実施形態は、床スラブ１２における振動の腹となる位置を含む領域の上方に動吸振器２５を備えた高吸振床支持具１５Ｂ（図２参照）が配置される点が特徴である。他の構成については、第１の実施形態とほぼ同様の構成であるので、同一符号を付して説明を省略する。
【００５９】
図５に示される二点鎖線で囲まれた配置範囲４３Ａ、４３Ｂは、動吸振器２５を備えた高吸振床支持具１５Ｂ（図２参照）が配置される範囲であり、これらの配置範囲４３Ａ、４３Ｂ内に動吸振器２５が配置される。
【００６０】
中央に図示される配置範囲４３Ａは、床スラブ１２のスラブ特定領域としての中央部領域１２Ｂの上方とされている（図５では、床スラブ１２の中央部領域１２Ｂは、二点鎖線で囲まれた配置範囲４３Ａと同じ範囲で示される。）。また、４箇所設けられる配置範囲４３Ｂは、配置範囲４３Ａを取り巻く部分であり、配置範囲４３Ａと四隅の柱３０との中間部となっている。
【００６１】
ここで、振動状態とされた床スラブ１２は、その部位によって、振幅（振動の幅の半分）の大きさが異なる。一般的に、図６（Ａ）の模式図に示されるように、一次固有振動数の一次曲げ振動では、床スラブ１２は、梁３２で囲まれた中央点１２Ｍの振幅が最も大きく（撓み量が最も大きく）、梁３２に近づくほど小さく（撓み量が小さく）なる。
【００６２】
但し、床スラブ１２の固有値によって、複数の位置に振動の大きい部分が生じ、図６（Ｂ）の模式図に示されるように、床スラブ１２の両端部間の略中心を節とし、両端部の一方から他方迄での間の略１／４の位置（すなわち、床スラブ１２の壁面に接した一方の端部を基準とした場合、壁面に接した他方の端部までの間の略１／４の位置、及び略３／４の位置）を腹とする二次固有振動数の二次曲げ振動も生じる。
【００６３】
本実施形態では、図５に示されるように、これらに対応させるために、床スラブ１２における振動の腹となる位置１２Ｍ、１２Ｎ（図６（Ａ）の一次曲げ部（中央点１２Ｍ）、図６（Ｂ）の二次曲げ部）を含む領域をスラブ特定領域としての中央部領域１２Ｂ、周囲部領域１２Ｄとし、中央部領域１２Ｂ、周囲部領域１２Ｄの上方に動吸振器２５を備えた高吸振床支持具１５Ｂ（図２参照）を配置する構成としている（図５では、床スラブ１２の周囲部領域１２Ｄは、二点鎖線で囲まれた配置範囲４３Ｂと同じ範囲で示される。）。なお、配置範囲４３Ａの範囲外で、かつ、配置範囲４３Ｂの範囲外となる範囲には、標準床支持具１５Ａ（図１参照）が配置される。
【００６４】
このように、床スラブ１２にて、振動に対して弱点となる部分における振動、すなわち、床スラブ１２における振動の腹となる位置における振動は、動吸振器２５を備えた高吸振床支持具１５Ｂ（図２参照）によって減衰されるので、重量床衝撃音が効果的に遮断（低減）される。また、床スラブ１２の振動の大きな場所に（例えば、ピンポイントで）動吸振器２５（図２参照）を設けることで、床スラブ１２の全領域に動吸振器２５を設ける場合に比べて施工性が良く、コストも低減することができる。
【００６５】
なお、大振幅で低周波振動となる中央部の配置範囲４３Ａに設ける動吸振器２５（図２参照）の振動減衰特性と、小振幅で高周波振動となる周囲部の配置範囲４３Ｂに設ける動吸振器２５の振動減衰特性と、を振動特性に応じて変えてもよい。
（第４の実施形態）
次に、第４の実施形態における床構造について、図７を参照しながら説明する（図７においては、紙面手前側が床構造１０（図１参照）における上方であり、紙面奥側が床構造１０（図１参照）における下方である。）。第４の実施形態は、フローリング１４Ｃの上方が複数の区画部（部屋３６、３７、３８（以下、「部屋３６〜３８」という）、廊下５０、収容部５２等）に区画された状態である場合であり、各々の区画部に応じて、動吸振器２５を備えた高吸振床支持具１５Ｂ（図２参照）を設けている点が特徴である。他の構成については、第１〜第３の実施形態とほぼ同様の構成であるので、同一符号を付して説明を省略する。
【００６６】
図７の平面図は、上床材１４の上方が壁３４によって複数の区画部（部屋３６〜３８、廊下５０、収容部５２、機器設置室６０等）に区画された状態を示している。なお、符号３５は、通常時に人や物の出入りが少ない空間（便所等のようにフローリング１４Ｃへの衝撃が問題とならない空間）である。
【００６７】
図中の二点鎖線で囲まれた配置範囲４４Ａ〜４４Ｈは、動吸振器２５を備えた高吸振床支持具１５Ｂが配置される範囲であり、これらの配置範囲４４Ａ〜４４Ｈ内に動吸振器２５が配置される。なお、これらの配置範囲４４Ａ〜４４Ｈ以外の範囲には、標準床支持具１５Ａ（図１参照）が配置される。
【００６８】
区画された各部屋３６〜３８の範囲内下方におけるフローリング１４Ｃの中央部領域３６Ｂ、３７Ｂ、３８Ｂ（以下、「中央部領域３６Ｂ〜３８Ｂ」という）は、フローリング１４Ｃにおける振動の発生しやすい床特定領域、すなわち、振動が発生しやすいと想定される部分とされ、高吸振床支持具１５Ｂの配置範囲４４Ａ、４４Ｂ、４４Ｃ（以下、「配置範囲４４Ａ〜４４Ｃ」という）は、フローリング１４Ｃの中央部領域３６Ｂ〜３８Ｂの下方とされている（図７では、中央部領域３６Ｂは配置範囲４４Ａと、中央部領域３７Ｂは配置範囲４４Ｂと、中央部領域３８Ｂは配置範囲４４Ｃと、それぞれ同じ範囲で示される。）。
【００６９】
また、フローリング１４Ｃの中央部領域３６Ｂ〜３８Ｂの各周囲は、各中央部領域３６Ｂ〜３８Ｂと各部屋３６〜３８のコーナ部（四隅部）との中間部が、床特定領域としての、（すなわち、振動が発生しやすいと想定される部分である）周囲部領域３６Ｄ、３７Ｄ、３８Ｄ（以下、「周囲部領域３６Ｄ〜３８Ｄ」という。）とされている。周囲部領域３６Ｄ〜３８Ｄは、各中央部領域３６Ｂ〜３８Ｂの周囲にそれぞれ４箇所ずつであり、高吸振床支持具１５Ｂの配置範囲４４Ｄ、４４Ｅ、４４Ｆ（以下、「配置範囲４４Ｄ〜４４Ｆ」という）は、周囲部領域３６Ｄ〜３８Ｄの下方とされている（図７では、周囲部領域３６Ｄは配置範囲４４Ｄと、周囲部領域３７Ｄは配置範囲４４Ｅと、周囲部領域３８Ｄは配置範囲４４Ｆと、それぞれ同じ範囲で示される。）。
【００７０】
区画された部屋３６〜３８毎に、フローリング１４Ｃの振動の発生しやすい床特定領域（中央部領域３６Ｂ〜３８Ｂ、周囲部領域３６Ｄ〜３８Ｄ）に対応して動吸振器２５（図２参照）を配置した構成である。
【００７１】
フローリング１４Ｃの上方には、歩行用通路としての廊下５０が備えられており、廊下５０の下方となるフローリング１４Ｃの通路領域５０Ｃは、フローリング１４Ｃにおける振動の発生しやすい床特定領域、すなわち、振動が発生しやすいと想定される部分とされ、床特定領域としての通路領域５０Ｃの下方が高吸振床支持具１５Ｂの配置範囲４４Ｇとされる（図７では、フローリング１４Ｃの通路領域５０Ｃは、二点鎖線で囲まれた配置範囲４４Ｇと同じ範囲で示される。）。歩行音や子供等の駆け足の音が発生しやすく、かつ、これらによって振動の生じる通路領域５０Ｃに対応して動吸振器２５（図２参照）を配置した構成である。
【００７２】
フローリング１４Ｃの上方には、（押入れ、クローゼット等のような）収容部５２が備えられており、収容部５２の下方となるフローリング１４Ｃの載置領域５２Ａは、フローリング１４Ｃにおける振動の発生しやすい床特定領域、すなわち、振動が発生しやすいと想定される部分とされ、床特定領域としての載置領域５２Ａの下方が高吸振床支持具１５Ｂの配置範囲４４Ｈとされる（図７では、フローリング１４Ｃの載置領域５２Ａは、二点鎖線で囲まれた配置範囲４４Ｈと同じ範囲で示される。）。重量物の出入れ等によって振動の生じやすい載置領域５２Ａに対応して動吸振器２５（図２参照）を配置した構成である。
【００７３】
フローリング１４Ｃの上方には、機器設置室６０が備えられており、機器設置室６０の振動機器設置部６１には、洗濯機等の振動機器が設置されるようになっている。この振動機器は、本実施形態では、振動機器設置部６１に後付け設置されるようになっているが、フローリング１４Ｃに固定された構造となっていてもよい。
【００７４】
フローリング１４Ｃの上方に振動機器設置部６１を備えた状態では、振動機器設置部６１の下方となるフローリング１４Ｃの機器設置領域６１Ａは、フローリング１４Ｃにおける振動の発生しやすい床特定領域、すなわち、振動が発生しやすいと想定される部分とされ、床特定領域としての機器設置領域６１Ａの下方が高吸振床支持具１５Ｂの配置範囲４４Ｉとされる（図７では、フローリング１４Ｃの機器設置領域６１Ａは、二点鎖線で囲まれた配置範囲４４Ｉと同じ範囲で示される。）。振動機器の使用によって振動の生じやすい機器設置領域６１Ａに対応して動吸振器２５（図２参照）を配置した構成である。
【００７５】
このように、（居住時の状態を考慮して）振動の生じやすい床特定領域（中央部領域３６Ｂ〜３８Ｂ、通路領域５０Ｃ、載置領域５２Ａ）に対応して動吸振器２５（図２参照）を配置した構成とすることで、床衝撃音の遮断性能を良好とすることができると共に、床スラブ１２の全領域に動吸振器２５を設ける場合に比べて施工性が良く、コストも低減することができる。
【００７６】
なお、上記実施形態における床特定領域に加えて、収容部５２への出入れ作業をする部分についても床特定領域としたり、洗面所（図示省略）の下方となるフローリング１４Ｃの領域を床特定領域として、それらの下方に動吸振器２５を備えた高吸振床支持具１５Ｂを配置する等のように、居室用途によって衝撃音対策が必要な部分に高吸振床支持具１５Ｂを配置してもよい。
【００７７】
また、上記実施形態のような配置は、改修時等のように特定場所に床構造を形成し直す場合等にも適用できる。
（第５の実施形態）
次に、第５の実施形態における床構造について、図８を参照しながら説明する（図８においては、紙面手前側が床構造１０（図１参照）における上方であり、紙面奥側が床構造１０（図１参照）における下方である。）。第５の実施形態は、部屋３６に対応して動吸振器２５を備えた高吸振床支持具１５Ｂ（図２参照）を床スラブ１２の全領域に配置すると共に、部屋３７、３８に対応して動吸振器２５を備えた高吸振床支持具１５Ｂ（図２参照）を床スラブ１２の一部領域に配置している点が特徴である。他の構成については、第１〜第４の実施形態とほぼ同様の構成であるので、同一符号を付して説明を省略する。
【００７８】
第５の実施形態は、図８に示されるように、フローリング１４Ｃの上方が区画されて複数の区画部（部屋３６、３７、３８、廊下５０等）が形成された状態とされている。
【００７９】
本実施形態では、区画部（部屋３６、３７、３８、廊下５０等）のうち、（特定の区画部とされる第１区画部としての）部屋３６は、レクリエーションスペース等のように区画部内の全域で衝撃音が発生し得る空間とされている。部屋３６の範囲内下方におけるフローリング１４Ｃの全領域３６Ｚは、フローリング１４Ｃにおける振動の発生しやすい床特定領域、すなわち、振動が発生しやすいと想定される部分とされ、床特定領域としての全領域３６Ｚの下方に、動吸振器２５を備えた高吸振床支持具１５Ｂ（図２参照）が配置されている。図中の二点鎖線で囲まれた配置範囲４５は、動吸振器２５を備えた高吸振床支持具１５Ｂ（図２参照）が配置される範囲であり、この配置範囲４５内に動吸振器２５が配置される（図８では、フローリング１４Ｃの全領域３６Ｚは、二点鎖線で囲まれた配置範囲４５と同じ範囲で示される。）。
【００８０】
また、複数の区画部（部屋３６、３７、３８、廊下５０等）のうち、部屋３６以外の第２区画部としての部屋３７、３８、廊下５０の範囲内下方におけるフローリング１４Ｃの一部領域が、フローリング１４Ｃにおける振動の発生しやすい床特定領域（中央部領域３７Ｂ、３８Ｂ、周囲部領域３７Ｄ、３８Ｄ、通路領域５０Ｃ）となっており、その下方が動吸振器２５を備えた高吸振床支持具１５Ｂ（図２参照）の配置範囲４４Ｂ、４４Ｃ、４４Ｅ、４４Ｆ、４４Ｇとされる（第４の実施形態と同様）。
【００８１】
なお、配置範囲４５、４４Ｂ、４４Ｃ、４４Ｅ、４４Ｆ、４４Ｇの範囲外となる範囲には、標準床支持具１５Ａ（図１参照）が配置される。
【００８２】
このように、フローリング１４Ｃにおいて、重量物（家具・電化製品等）を支持する部位や歩行する可能性の少ない部屋の隅等の下方には、標準床支持具１５Ａ（図１参照）を配置し、部屋３７、３８の中央部等、廊下５０等の居住者が歩く可能性の高い部位等の下方には、高吸振床支持具１５Ｂを配置して衝撃音遮断構造とし、さらに、区画部内の全域で衝撃音が発生し得る部屋３６内の全域の下方にも高吸振床支持具１５Ｂを配置して（屋内スペースの用途等に応じた）衝撃音遮断構造とすることで、床衝撃音の遮断性能が良好となり、また、施工性を向上させることができる。
（第６の実施形態）
次に、第６の実施形態における床構造について、図９を参照しながら説明する（図９においては、紙面手前側が床構造１０（図１参照）における上方であり、紙面奥側が床構造１０（図１参照）における下方である。）。なお、第６の実施形態は、動吸振器２５を備えた高吸振床支持具１５Ｂの配置位置を除き、第１の実施形態と同様の構成であるので、同一構成部については、同一符号を付して説明を省略する。
【００８３】
第６の実施形態は、フローリング１４Ｃ（図１参照）の上方が区画されていない状態とされており、フローリング１４Ｃの全領域１４Ｚで衝撃音が発生し得る用途に用いられている。すなわち、振動が発生しやすいと想定される部分は、フローリング１４Ｃの全領域１４Ｚとなっている。
【００８４】
このため、フローリング１４Ｃにおける振動の発生しやすい床特定領域が全領域１４Ｚとなっている。これに対応して、動吸振器２５を備えた高吸振床支持具１５Ｂ（図２参照）は、床スラブ１２（図２参照）上の全領域に配置されている。図中の二点鎖線で囲まれた配置範囲４６は、動吸振器２５を備えた高吸振床支持具１５Ｂ（図２参照）が配置される範囲であり、この配置範囲４６内に動吸振器２５が配置される（図９では、フローリング１４Ｃの全領域１４Ｚは、二点鎖線で囲まれた配置範囲４６と同じ範囲で示される。）。これにより、床全域における振動抑制が可能となる。
（第７の実施形態）
次に、第７の実施形態における床構造について、図１０を参照しながら説明する。第１〜第６の実施形態では、振動減衰手段として動吸振器２５を適用した場合について説明したが、第７の実施形態は、振動減衰手段として高減衰防振ゴム５４を適用した点が特徴である。他の構成については、第１〜第６の実施形態とほぼ同様の構成であるので、同一符号を付して説明を省略する。
【００８５】
図１０に示されるように、第７の実施形態における床構造１０は、第１の実施形態における高吸振床支持具１５Ｂ（図１参照）の代わりに、高減衰床支持具１５Ｃが配置されている。高減衰床支持具１５Ｃは、標準床支持具１５Ａにおける防振ゴム１８（図１参照）が高減衰防振ゴム５４に置き換えられた構成とされている。
【００８６】
高減衰床支持具１５Ｃの上方で発生した床衝撃音（例えば、歩行音等）の振動は、上床材１４からパネル受け部材２４、支持ボルト２２、及び、中間受け部材２０を介して高減衰防振ゴム５４へ伝わる。ここで、高減衰防振ゴム５４が振動を吸収するように弾性変形することで、効果的に振動を減衰する。
【００８７】
このように、床スラブ１２における振動の発生しやすいスラブ特定領域の上方、又は、フローリング１４Ｃにおける振動の発生しやすい床特定領域の下方に、高減衰防振ゴム５４を備えた高減衰床支持具１５Ｃを配置しても、床衝撃音の遮断性能が良好で施工性を向上させる床構造１０を得ることができる。
（第８の実施形態）
次に、第８の実施形態における床構造について、図１１を参照しながら説明する。なお、第１〜第７の実施形態と同様の構成部については、同一符号を付して説明を省略する。
【００８８】
図１１に示されるように、床構造１０は、床スラブ１２と上床材１４との間に、所定の間隔で複数本並べられた標準床支持具１５Ａを介在させている。
【００８９】
ここで、床スラブ１２における振動の発生しやすいスラブ特定領域の上方、又は、フローリング１４Ｃにおける振動の発生しやすい床特定領域（例えば、振動の腹となる床特定領域等）の下方、における範囲内にのみ、振動減衰手段としての高比重遮音材１４Ｄが設けられている。高比重遮音材１４Ｄは、床下地パネル１４Ａと捨張合板１４Ｂとの間に配置され、振動を減衰させて衝撃音を低減するようになっている。
【００９０】
なお、高比重遮音材１４Ｄが配置される範囲に対応する床下地パネル１４Ａと、高比重遮音材１４Ｄが配置されない範囲に対応する床下地パネル１４Ａとは、床下地パネル１４Ａの端部同士が離れた状態とされている。ここで、高比重遮音材１４Ｄが配置されない範囲に対応する床下地パネル１４Ａの端部に緩衝材を取り付けてもよい。
（第９の実施形態）
次に、第９の実施形態における床構造について、図１２を参照しながら説明する。なお、第１〜第７の実施形態と同様の構成部については、同一符号を付して説明を省略する。
【００９１】
図１２に示されるように、第９の実施形態の床構造７０は、直貼り床の構造とされる。床スラブ１２の上方に下部合板１４Ｄが配置されると共に、フローリング１４Ｃの下方に上部合板１４Ｅが配置される。下部合板１４Ｄと上部合板１４Ｅとの間には、桟木１４Ｆが間隔をおいて配置されている。
【００９２】
ここで、下部合板１４Ｄと上部合板１４Ｅとの間においては、床スラブ１２における振動の発生しやすいスラブ特定領域の上方、又は、フローリング１４Ｃにおける振動の発生しやすい床特定領域（例えば、振動の腹となる床特定領域等）の下方、における範囲内にのみ、振動減衰手段としての低反発ウレタンフォーム１４Ｇが設けられており、振動を減衰させて衝撃音を低減するようになっている。
（試験例）
上記実施形態の床構造における床衝撃音の遮断性能を確認するために、以下に示す３種類の実施例に係る床構造（以下、実施例１、実施例２、実施例３という）と、動吸振器を全く取り付けない構成の床構造との比較試験を行った。
【００９３】
実施例１は、第５の実施形態と同様の構成であり（図８参照）、実施例２は、第２の実施形態と同様の構成であり（図４参照）、実施例３は、第４の実施形態と同様の構成である（図７参照）。
【００９４】
図８、図４、図７に示される部屋３６で床衝撃音を発生させ、動吸振器を全く取り付けない構成の床構造における重量床衝撃音レベルを基準にして、重量床衝撃音レベルの改善量（ｄＢ）を調べた。なお、比較した周波数は、６３Ｈｚ、１２５Ｈｚ、２５０Ｈｚ、５００Ｈｚとした。
【００９５】
試験結果を表１に示す。
【００９６】
【表１】
2007132081.tif 000003
実施例１のように、スラブ床全域に配置した場合に、重量床衝撃音レベルが最も改善されたが、実施例２、実施例３のように、振動が発生しやすい部分（影響の大きい部分）へ局所配置した場合も、重量床衝撃音レベルが十分に改善された。
（他の実施形態）
なお、上記第１〜第６の実施形態では、動吸振器２５における弾性部材としてのクッション台座２６が、支持手段としての支持部１６に支持されているが、動吸振器における弾性部材が床材の床下地材に支持される構成としてもよい。
【００９７】
また、上記第１〜第６の実施形態では、弾性部材が軟質ゴムで構成されたクッション台座２６である場合を例に挙げて説明したが、弾性部材は、例えば、圧縮コイルバネ等のような弾性変形可能な他の弾性部材であってもよい。
【００９８】
さらに、上記第１〜第６実施形態では、弾性部材としてのクッション台座２６が接着剤等によって中間受け部材２０に固着されているが、弾性部材は、例えば、支持部材に直接固着される等のように、上記実施形態以外の配置された位置に固着される構成としてもよい。また、弾性部材は、機械的接合によって中間受け部等の配置された位置に取り付けられてもよい。
【００９９】
さらにまた、上記実施形態では、中間受け部としての中間受け部材２０が、支持部材としての支持ボルト２２に取り付けられて一体化されているが、支持部材の一部に中間受け部を形成してもよい。
【０１００】
なお、上記実施形態では、床スラブ１２がコンクリート製であるコンクリート床の場合について説明したが、床スラブは、木製等の床基盤であってもよい。
【図面の簡単な説明】
【０１０１】
【図１】本発明の第１の実施形態に係る床構造の縦断面を示す断面図である。
【図２】図１の高吸振床支持具を拡大した拡大断面図である。
【図３】本発明の第１の実施形態における動吸振器を備えた高吸振床支持具の配置範囲を示す水平断面図である。
【図４】本発明の第２の実施形態における動吸振器を備えた高吸振床支持具の配置範囲を示す平面図である。
【図５】本発明の第３の実施形態における動吸振器を備えた高吸振床支持具の配置範囲を示す水平断面図である。
【図６】床スラブの振動状態を示す模式図である。図６（Ａ）は、一次曲げ振動の状態を示す。図６（Ｂ）は、二次曲げ振動の状態を示す。
【図７】本発明の第４の実施形態における動吸振器を備えた高吸振床支持具の配置範囲を示す平面図である。
【図８】本発明の第５の実施形態における動吸振器を備えた高吸振床支持具の配置範囲を示す平面図である。
【図９】本発明の第６の実施形態における動吸振器を備えた高吸振床支持具の配置範囲を示す平面図である。
【図１０】本発明の第７の実施形態に係る床構造の縦断面を示す断面図である。
【図１１】本発明の第８の実施形態に係る床構造の縦断面を示す断面図である。
【図１２】本発明の第９の実施形態に係る床構造の縦断面を示す断面図である。
【符号の説明】
【０１０２】
１０    床構造
１２    床スラブ
１２Ｂ  中央部領域（スラブ特定領域）
１２Ｃ  中央領域（スラブ特定領域）
１２Ｄ  周囲部領域（スラブ特定領域）
１２Ｍ  中央点（振動の腹となる位置）
１２Ｎ  振動の腹となる位置
１４Ｃ  フローリング（床仕上材）
１４Ｚ  全領域（床特定領域）
１６    支持部（支持手段）
２５    動吸振器（振動減衰手段）
２６    クッション台座（弾性部材）
２８    質量体
３６    部屋（区画部、第１区画部）
３６Ｂ  中央部領域（中央領域（床特定領域））
３６Ｃ  中央領域（床特定領域）
３６Ｄ  周囲部領域（床特定領域）
３６Ｚ  全領域（床特定領域）
３７    部屋（区画部、第２区画部）
３７Ｂ  中央部領域（中央領域（床特定領域）、一部領域）
３７Ｄ  周囲部領域（床特定領域、一部領域）
３８    部屋（区画部、第２区画部）
３８Ｂ  中央部領域（中央領域（床特定領域）、一部領域）
３８Ｄ  周囲部領域（床特定領域、一部領域）
５０    廊下（歩行用通路、区画部、第２区画部）
５０Ｃ  通路領域（床特定領域）
５２    収容部
５２Ａ  載置領域（床特定領域）
５４    高減衰防振ゴム（振動減衰手段）
６１    振動機器設置部
６１Ａ  機器設置領域（床特定領域）
７０    床構造
【図１】
2007132081.tif 000004
【図２】
2007132081.tif 000005
【図３】
2007132081.tif 000006
【図４】
2007132081.tif 000007
【図５】
2007132081.tif 000008
【図６】
2007132081.tif 000009
【図７】
2007132081.tif 000010
【図８】
2007132081.tif 000011
【図９】
2007132081.tif 000012
【図１０】
2007132081.tif 000013
【図１１】
2007132081.tif 000014
【図１２】
2007132081.tif 000015